(57)【要約】【課題】表示装置等の送信装置から送信される音声信号の音声フォーマットが切り替わったとき、無音区間が発生することを防止する音声処理装置及び送信装置を提供すること。【解決手段】  音声処理装置は、音声フォーマットが第１の音声フォーマットであると判断したとき、音声送信装置に、音声送信装置の音声出力部から音声を出力するよう指示する。音声処理装置は、音声処理装置に接続される音声出力装置から音声が出力されないように設定し、第１の音声フォーマットに対応する設定を実行する。音声処理装置は、第１の音声フォーマットに対応する設定が完了した後、音声送信装置に、音声送信装置の音声出力部から音声を出力しないよう指示する。【選択図】図２
2013179505.tif 000002
【特許請求の範囲】
【請求項１】
音声信号を送信可能な音声送信装置に接続可能な音声処理装置であって、
前記音声送信装置が送信する音声信号を受信する音声受信部と、
音声信号を音声出力装置に出力する出力手段と、
前記音声受信部が受信する音声信号の音声フォーマットを判別する音声フォーマット判別手段と、
前記音声フォーマットに応じて音声信号に音場処理を実行し、出力先の前記音声出力装置を変更する出力設定手段と、
前記音声フォーマット判別手段が、前記音声受信部が受信中の音声信号の前記音声フォーマットが第１の音声フォーマットに変更されたと判別したとき、前記音声送信装置の音声出力部から、前記音声処理装置に送信する音声信号を出力するよう前記音声送信装置に指示する出音指示手段と、
前記出力設定手段が前記第１の音声フォーマットに対応する設定を完了した後、前記音声送信装置に、前記音声送信装置の前記音声出力部から音声を出力しないよう指示する消音指示手段とを備える、音声処理装置。
【請求項２】
前記音声フォーマット判別手段が、前記音声受信部が受信中の音声信号の音声フォーマットが前記第１の音声フォーマットから、第２の音声フォーマットに変更されたと判別したとき、前記出音指示手段が、前記音声送信装置に、前記音声送信装置の前記音声出力部から音声を出力するよう指示し、
前記出力設定手段が前記第２の音声フォーマットに対応する設定を完了した後、前記消音指示手段が、前記音声送信装置の前記音声出力部から音声を出力しないよう前記音声送信装置に指示する、請求項１に記載の音声処理装置。
【請求項３】
前記音声処理装置の音量値と、前記音声送信装置の音量値とを対応付けて管理する音量管理手段と、
前記音声フォーマット判別手段が、前記音声受信部が受信中の音声信号の音声フォーマットが前記第１の音声フォーマットに変更されたと判別したとき、前記音声処理装置に現在設定されている音量値に対応する前記音声送信装置の音量値を前記音量管理手段に基づいて取得する音量取得手段と、
取得された音量値に設定するように前記音声送信装置に指示する音量指示手段とを備える、請求項１または２に記載の音声処理装置。  
【請求項４】
音声信号を音声処理装置に送信可能な音声送信装置であって、
前記音声処理装置に送信する音声信号の音声フォーマットを判別する音声フォーマット判別手段と、
音声を出力する音声出力部と、
前記音声出力部から音声を出力しないように設定する消音手段と、
前記音声出力部から音声を出力するように設定する出音手段とを備え、
前記音声フォーマット判別手段が、前記音声処理装置へ送信する音声信号の音声フォーマットが第１の音声フォーマット以外の音声フォーマットから、前記第１の音声フォーマットに変更されたと判別したとき、前記出音手段が、前記音声出力部から音声を出力するよう設定し、
前記音声出力部から音声を出力開始してから、一定時間経過後、前記消音手段が前記音声出力部から音声を出力しないように設定する、音声送信装置。
【請求項５】
請求項１〜３のいずれかに記載の音声処理装置の各手段を前記音声処理装置に実行させる、音声処理装置プログラム。
【請求項６】
請求項４に記載の音声送信装置の各手段を前記音声送信装置に実行させる、音声送信装置プログラム。
【発明の詳細な説明】
【技術分野】
【０００１】
本発明は、音声処理装置、音声送信装置、及びそのプログラムに関する。
【背景技術】
【０００２】
テレビ等 (以下、表示装置という。)から出力される音声信号を入力可能な音声処理装置（以下、ＡＶアンプという。）は、表示装置から送信される音声信号のフォーマットに応じて音声信号に音声処理を実行し、ＡＶアンプに接続されるスピーカーから出力する。音声信号のフォーマットは、例えば、ステレオ、モノラル、ＡＡＣサラウンド等である。音声処理は、ＤＳＰ等による音声信号への音場モード(リスニングモード)の適用などである。
【０００３】
ところで、地上デジタル放送等における映画番組や野球中継は、ＡＡＣサラウンド方式でエンコードされた音声信号で放送されることが多く、表示装置はＡＡＣサラウンドフォーマットの音声信号を含む放送を受信し、ＡＶアンプに音声信号を送信する。ＡＶアンプのＤＳＰは、ＡＡＣサラウンド音声信号にリスニングモードを適用し、ＡＶアンプに接続される複数のスピーカーに音声を出力する。この結果、ユーザは映画や野球中継を臨場感のある音声で楽しむことができる。
【０００４】
ところで、地上デジタル放送において映画や野球中継等の本編部分の音声信号はＡＡＣサラウンドフォーマット(第１の音声フォーマット)で送信されるが、映画や野球中継の合間に挿入されるＣＭ等における音声信号のフォーマットはモノラルフォーマット、またはステレオフォーマット(第２の音声フォーマット)である。ＡＶアンプは、表示装置から入力される音声信号のフォーマットが切り替わる度にリスニングモードを切り替える。例えば、ＡＶアンプはステレオフォーマットの音声信号が入力された場合は、フロント２ｃｈのスピーカーのみから音声を出力し、ＡＡＣサラウンドフォーマットの音声信号が入力された場合はフロントスピーカー、センタースピーカー、サラウンドスピーカー等を含む６つのスピーカーから音声を出力する。ＡＶアンプは、音声を出力するスピーカーを切り替えるとき、ノイズの発生等を防ぐために、スピーカーから音声が出力がされないよう一時的にミュート処理を実行する。この結果、例えば、放送がＣＭから映画の本編に切り替わったとき、一時的に音声がＡＶアンプに接続されるスピーカーから出力されず、ユーザが映画の冒頭の音声を聞き取れない問題が発生する。
【０００５】
特開２００８−６７２７９号公報には、音場モードを複数の音場モード間で遷移させて他の音場モードに切り替える際、切り替えの遷移期間のゲイン調整部に設定すべきゲインを切替前後のゲイン設定値から補間してゲイン調整部に設定し、音場モードを切り替えるオーディオ装置が記載されている。
【先行技術文献】
【特許文献】
【０００６】
【特許文献１】特開２００８−６７２７９号公報
【発明の概要】
【発明が解決しようとする課題】
【０００７】
本発明は上記従来の課題を解決するためになされたものであり、その目的は、表示装置等の送信装置から送信される音声信号の音声フォーマットが切り替わったとき、無音区間が発生することを防止する音声処理装置及び音声送信装置を提供することである。
【課題を解決するための手段】
【０００８】
本発明の好ましい実施形態による音声処理装置は、音声信号を送信可能な音声送信装置に接続可能な音声処理装置であって、前記音声送信装置が送信する音声信号を受信する音声受信部と、音声信号を音声出力装置に出力する出力手段と、前記音声受信部が受信する音声信号の音声フォーマットを判別する音声フォーマット判別手段と、前記音声フォーマットに応じて音声信号に音場処理を実行し、出力先の前記音声出力装置を変更する出力設定手段と、前記音声フォーマット判別手段が、前記音声受信部が受信中の音声信号の前記音声フォーマットが第１の音声フォーマットに変更されたと判別したとき、前記音声送信装置の音声出力部から、前記音声処理装置に送信する音声信号を出力するよう前記音声送信装置に指示する出音指示手段と、前記出力設定手段が前記第１の音声フォーマットに対応する設定を完了した後、前記音声送信装置に、前記音声送信装置の前記音声出力部から音声を出力しないよう指示する消音指示手段とを備える。
【０００９】
音声処理装置は、音声送信装置から音声信号を受信し、音声信号の音声フォーマットを判断する。音声処理装置は、音声フォーマットが第１の音声フォーマットであると判断したとき、音声送信装置に、音声送信装置の音声出力部から音声を出力するよう指示する。音声処理装置は、音声処理装置に接続される音声出力装置から音声が出力されないように設定し、第１の音声フォーマットに対応する設定を実行する。音声処理装置は、第１の音声フォーマットに対応する設定が完了した後、音声送信装置に、音声送信装置の音声出力部から音声を出力しないよう指示する。この結果、音声処理装置が第１の音声フォーマットに対応する設定を完了するまでの間、音声送信装置の音声出力部から音声が出力されるので、ユーザが音声を聞き逃すことを防止できる。
【００１０】
好ましい実施形態においては、前記音声フォーマット判別手段が、前記音声受信部が受信中の音声信号の音声フォーマットが前記第１の音声フォーマットから、第２の音声フォーマットに変更されたと判別したとき、前記出音指示手段が、前記音声送信装置に、前記音声送信装置の前記音声出力部から音声を出力するよう指示し、前記出力設定手段が前記第２の音声フォーマットに対応する設定を完了したとき、前記消音指示手段が、前記音声送信装置の前記音声出力部から音声を出力しないよう前記音声送信装置に指示する。
【００１１】
音声処理装置は、音声信号が第１の音声フォーマットから、第２の音声フォーマットに変更されたと判断したとき、音声送信装置に、音声送信装置の音声出力部から音声を出力するよう指示する。この結果、音声処理装置が第２の音声フォーマットに対応する設定を完了するまでの間、音声送信装置の音声出力部から音声が出力されるので、ユーザが音声を聞き逃すことを防止できる。
【００１２】
本発明の別の好ましい実施形態による音声処理装置は、前記音声処理装置の音量値と、前記音声送信装置の音量値とを対応付けて管理する音量管理手段と、前記音声フォーマット判別手段が、前記音声受信部が受信中の音声信号の音声フォーマットが前記第１の音声フォーマットに変更されたと判別したとき、前記音声処理装置に現在設定されている音量値に対応する前記音声送信装置の音量値を前記音量管理手段に基づいて取得する音量取得手段と、取得された音量値に設定するように指示する音量指示手段とを備える。
【００１３】
音声処理装置は、音声受信部が受信中の音声信号のフォーマットが第１の音声フォーマットであると判断したとき、音声処理装置に設定されている音量値に対応する音声送信装置の音量値である音声送信装置音量値を取得し、音声送信装置に音声送信装置音量値を設定する。この結果、音声送信装置の音声出力部から音声が出力されるときの音量変化による不快感を低減できる。
【００１４】
本発明の別の好ましい実施形態による音声送信装置は、音声信号を音声処理装置に送信可能な音声送信装置であって、前記音声処理装置に送信する音声信号の音声フォーマットを判別する音声フォーマット判別手段と、音声を出力する音声出力部と、前記音声出力部から音声を出力しないように設定する消音手段と、前記音声出力部から音声を出力するように設定する出音手段とを備え、前記音声フォーマット判別手段が、前記音声処理装置へ送信する音声信号の音声フォーマットが第１の音声フォーマット以外の音声フォーマットから、前記第１の音声フォーマットに変更されたと判別したとき、前記出音手段が、前記音声出力部から音声を出力するよう設定し、前記音声出力部から音声を出力開始してから、一定時間経過後、前記消音手段が前記音声出力部から音声を出力しないように設定する。
【００１５】
音声送信装置は、音声処理装置へ送信する音声信号のフォーマットが第１の音声フォーマットであると判断したとき、音声出力部から音声を出力するよう設定し、音声出力部から音声を出力開始してから、一定時間経過後、音声出力部から音声を出力しないように設定する。この結果、音声送信装置は自身で出音処理を実行するので、第１の音声フォーマットを検出してから音声出力部から出音するまでの時間を短縮できる。
【発明の効果】
【００１６】
表示装置等の送信装置が送信する音声信号の音声フォーマットが切り替わったとき、無音状態が発生することを防止する音声処理装置または音声送信装置を提供できる。
【図面の簡単な説明】
【００１７】
【図１】本発明の好ましい実施形態による機器のブロック図である。
【図２】本発明の好ましい実施形態による制御部１１と制御部２１が実行するシーケンスチャートである。
【図３】本発明の好ましい実施形態による制御部１１と制御部２１が実行するシーケンスチャートである。
【図４】音量テーブルである。
【図５】本発明の好ましい実施形態による制御部１１と制御部２１が実行するシーケンスチャートである。
【図６】本発明の好ましい実施形態による制御部１１と制御部２１が実行するシーケンスチャートである。
【発明を実施するための形態】
【００１８】
以下、本発明の好ましい実施形態による音声処理装置、または音声送信装置について、図面を参照して具体的に説明するが、本発明はこれらの実施形態には限定されない。
【００１９】
図１は、本発明の好ましい実施形態によるＡＶアンプと表示装置とのブロック図である。
【００２０】
ＡＶアンプ１００は、制御部１１、記憶部１２、音声処理部１３、ＤＡＣ１４、増幅部１５、通信部１６、及び音声受信部１７を備える。制御部１１は記憶部１２に格納されたプログラムを実行することによりＡＶアンプ１００全体を制御するものであり、例えばマイコンやＣＰＵである。記憶部１２は、ＡＶアンプ１００の設定内容などを保持するものであり、例えばＲＯＭやＲＡＭである。音声処理部１３は、ＤＳＰであり、ＡＶアンプ１００に接続される表示装置２００から入力されるデジタル音声信号に音場処理等を実行する。ＤＡＣ１４はデジタルーアナログ変換部であり、音声処理部１３によって処理されたデジタル信号をアナログ信号に変換する。増幅部１５は、ＤＡＣ１４によって出力されるアナログ信号を増幅し、ＡＶアンプ１００に接続されるスピーカー１８に出力する。なお、スピーカー１８は、フロント、センター、サブウーファー、サラウンドなどの複数のスピーカーで構成される。
【００２１】
通信部１６は、ＨＤＭＩ規格のＣＥＣ等のコマンドを送受信するインターフェースであり、表示装置２００の通信部２５と任意のコマンドをやりとりする。なお、通信方法はＣＥＣに限られず、イーサネット(登録商標。以下、イーサネットという。)等による通信等でもよい。例えば、ＡＶアンプ１００は表示装置２００に通信部１６を介して、ミュート指示や、音量変更指示等を送信する。音声受信部１７は、表示装置２００が送信する音声信号を受信するインターフェースであり、例えば光デジタル端子、同軸デジタル端子等である。
【００２２】
表示装置２００は、制御部２１、記憶部２２、ＤＡＣ２３、増幅部２４、スピーカー２５、表示部２６、放送受信部２７、音声送信部２８及び音声処理部２９を備える。制御部２１は記憶部２２に格納されたプログラムを実行することにより表示装置２００全体を制御するものであり、例えばマイコンやＣＰＵである。記憶部２２は、表示装置２００の設定内容などを保持するものであり、例えばＲＯＭやＲＡＭである。
【００２３】
ＤＡＣ２３は、デジタルーアナログ変換部であり、後述する放送受信部２７が受信するデジタル音声信号をアナログ音声信号に変換する。増幅部２４は、ＤＡＣ２３によって出力されるアナログ信号を増幅し、表示装置２００に内蔵されるスピーカー２５に出力する。表示部２６は、ディスプレイ装置であり、例えば液晶ディスプレイやプラズマディスプレイである。
【００２４】
放送受信部２７は、地上デジタル放送やＣＳデジタル放送等を受信するチューナである。放送受信部２７は、音声信号と映像信号とを含む放送データを受信する。音声送信部２８は、放送受信部２７が受信する放送信号のうち、音声信号を送信するインターフェースであり、例えば光デジタル端子、同軸デジタル端子等である。音声処理部２９は、ＤＳＰであり、放送受信部２７が受信する音声信号の音声フォーマットを解析し、特定する。なお、ＡＶアンプ１００の音声受信部１７に入力される音声信号は、表示装置２００から送信されるものに限定されない。例えば、ＡＶアンプ１００に接続されるＨＤＤレコーダに表示装置２００が受信する放送データを録画し、録画済み放送データの音声信号が音声受信部１７にＨＤＤレコーダから入力されてもよい。また、通信部１６と音声受信部１７とは、ＨＤＭＩ入力端子として１つの端子内に含まれていてもよい。同様に、通信部２５と音声送信部２８とはＨＤＭＩ出力端子として１つの端子内に含まれていてもよい。
【００２５】
以上の構成を備えるＡＶアンプ１００の制御部１１は、音声受信部１７が受信する音声信号のフォーマットが本編用のフォーマットに変更されたと判断したとき、表示装置２００のスピーカー２５から音声を出力するよう指示する。制御部１１は、本編用のフォーマットに対応するリスニングモード等の設定を完了後、表示装置２００のスピーカー２５から音声を出力しないよう指示する。
【００２６】
[実施形態１]
図２は、実施形態１におけるＡＶアンプ１００の制御部１１と表示装置２００の制御部２１とのシーケンスチャートを示す。本実施形態によると、制御部１１は、音声受信部１７が受信する音声信号のフォーマットが本編用のフォーマットに変更されたと判断したとき、表示装置２００のスピーカー２５から音声を出力するよう指示する。なお、図２のシーケンスチャートは、表示装置２００が本編の放送を受信開始し、放送が本編放送から非本編放送に変更されるときの処理を示す。
【００２７】
表示装置２００の制御部２１は、放送受信部２７を介してＡＡＣサラウンドフォーマットで放送される音声信号を受信する（Ｓ１０１）。表示装置２００の放送受信部２７が受信する音声信号は、音声送信部２８から出力され、ＡＶアンプ１００の音声受信部１７に入力される。
【００２８】
ＡＶアンプ１００の制御部１１は、音声受信部１７から入力される音声信号を音声処理部１３に伝送し、音声処理部１３に音声フォーマットを解析するよう指示する（Ｓ１０２）。制御部１１は、受信した音声フォーマットがＡＡＣサラウンドフォーマットであると判断し（Ｓ１０３）、表示装置２００に、通信部１６を介してミュートを解除するよう指示する（Ｓ１０４）。表示装置２００の制御部２１は、ミュート解除指示を受信すると、放送受信部２７が受信中の音声信号をＤＡＣ２３、増幅部２４を介してスピーカー２５から出力する（Ｓ１０５）。
【００２９】
ＡＶアンプ１００の制御部１１は、後述するリレースイッチのオンオフ処理や音声処理部１３の音場処理の間に、スピーカー１８からノイズ等が発生することを防止するため、ミュート処理を実行する（Ｓ１０６）。ミュート処理が実行されることにより、スピーカー１８から音声が出力されなくなる。
【００３０】
制御部１１は、音声処理部１３にリスニングモードを設定するよう指示する（Ｓ１０７）。リスニングモードは、ＡＶアンプ１００に入力される音声信号のフォーマットに応じて適用される音場モードである。例えば、ＡＶアンプ１００に入力される音声信号のフォーマットがＡＡＣサラウンドフォーマットの場合、リスニングモード「ＡＡＣ」が適用され、フロントスピーカー、サラウンドスピーカー、センタースピーカー、サブウーファー等の複数のスピーカーから音声が出力される。
【００３１】
制御部１１は、リレースイッチをオンまたはオフに設定する（Ｓ１０８）。リレースイッチは、音声を出力するスピーカー１８の数や組み合わせを変更するためのスイッチである。制御部１１は、リスニングモード設定処理と、リレー設定処理を完了したとき、スピーカー１８から音声を出力できる状態になったと判断し、ミュートを解除してスピーカー１８へ音声信号の出力を開始する（Ｓ１０９）。Ｓ１０９の処理を完了したとき、ＡＶアンプ１００のスピーカー１８と表示装置２００のスピーカー２５との双方のスピーカーから音声が出力される。ＡＶアンプ１００のスピーカー１８から音声が出力された後、表示装置２００のスピーカー２５から音声を出力する必要がないので、制御部１１は表示装置２００にミュート指示を送信する（Ｓ１１０）。表示装置２００は、ミュート処理を実行し、スピーカー２５から音声を出力しないよう設定する（Ｓ１１１）。
【００３２】
地上デジタル放送の放送内容が本編から非本編に変更されたとき、放送受信部２７は非本編用の音声フォーマットの音声信号を受信する（Ｓ１１２）。非本編用の音声フォーマットは例えばステレオフォーマットやモノラルフォーマットである。
【００３３】
制御部１１は、音声処理部１３によってＡＡＣサラウンドフォーマットからそれ以外の音声フォーマットへの変更を検出する（Ｓ１１３）。制御部１１は、ミュートを実行し、スピーカー１８から音声が出力されないように設定する（Ｓ１１４）。制御部１１は、音声信号のフォーマットに応じたリスニングモードを適用するよう音声処理部１３に指示する（Ｓ１１５）。例えば、音声信号のフォーマットがステレオフォーマットであった場合、制御部１１はフロントスピーカーのみから音声が出力されるリスニングモードである「ステレオ」を適用する。制御部１１は、音声を出力するスピーカーの数や組み合わせに応じてリレースイッチをオンオフする（Ｓ１１６）。
【００３４】
制御部１１は、リスニングモード設定処理と、リレー設定処理を完了したとき、スピーカー１８から音声を出力できる状態になったと判断し、ミュートを解除してスピーカー１８から音声出力を開始する（Ｓ１１７）。さらに、放送が非本編から本編に戻ったとき、表示装置２００の制御部２１はＳ１０１以降の処理を実行し、ＡＶアンプ１００の制御部１１はＳ１０２以降の処理を実行する。
【００３５】
以上の本実施形態によると、制御部１１は音声信号のフォーマットが本編用の音声フォーマットに移行したことを検出したとき、リスニングモード変更等の処理が完了するまで、表示装置２００のスピーカー２５から音声を出力するよう指示するので、ユーザが本編に切り替わったときに音声を聞き逃すという問題を解決できる。
【００３６】
[実施形態２]
図３は第２の実施形態におけるシーケンスチャートを示す。図２と同一の処理には同一符号を付し、説明を省略する。本実施形態によると、表示装置２００の放送受信部２７が受信する音声信号のフォーマットが本編用のフォーマットから非本編用のフォーマットに移行したとき、制御部１１は表示装置２００にミュートを解除するよう指示し、ＡＶアンプ１００のスピーカー１８から音声を出力開始した後、表示装置２００にミュートするよう指示する。
【００３７】
ＡＶアンプ１００の制御部１１は、ＡＡＣサラウンドフォーマットから、ＡＡＣサラウンドフォーマット以外の音声フォーマットへの変化を検出した時（Ｓ１１３）、表示装置２００にミュート解除指示を送信し（Ｓ２０１）、表示装置２００の制御部２１はスピーカー２５から音声出力を開始する（Ｓ２０２）。Ｓ２０２の処理によって、ＡＶアンプ１００のスピーカー１８と表示装置２００のスピーカー２５とから音声が出力された状態となる。
【００３８】
制御部１１は、ミュートを実行し（Ｓ１１４）、スピーカー１８から音声出力されないよう設定する。制御部１１は、現在入力されている音声フォーマットに対応するリスニングモードを設定し（Ｓ１１５）、リレーを制御し（Ｓ１１６）、ミュートを解除し、スピーカー１８から音声を出力開始する（Ｓ１１７）。制御部１１は、表示装置２００にミュート指示を送信し（Ｓ２０３）、表示装置２００の制御部２１は、スピーカー２５から音声が出力されないよう設定する（Ｓ２０４）。
【００３９】
以上の本実施形態によると、ＡＶアンプ１００の制御部１１は非本編用の音声フォーマットに切り替わったことを検出したとき、表示装置２００のスピーカー２５から音声を出力するよう指示を送信するので、ユーザが非本編に切り替わったときに音声を聞き逃すことがなくなる。
【００４０】
[実施形態３]
図４は、実施形態３において使用される音量テーブルを示す。音量テーブルは、記憶部１２に記憶される。音量テーブルのＴＶ１及びＴＶ２は、ＡＶアンプ１００に接続される表示装置２００を識別するための情報である。音量テーブルは、ＡＶアンプ１００に設定される音量値と、表示装置２００の音量値との対応関係を示す。なお、ＡＶアンプ１００の音量値に対応する表示装置２００の音量値（ＴＶＶｏｌ）は以下の式で決定される。
【００４１】
ＴＶＶｏｌ  ＝  ＴＶＭａｘＶｏｌ×（ＡＶＶｏｌ／ＡＶＭａｘ）
ここで、ＴＶＭａｘＶｏｌは、表示装置２００に設定可能な最大音量値
ＡＶＶｏｌは、ＡＶアンプ１００に現在設定されている音量値
ＡＶＭａｘは、ＡＶアンプ１００に設定可能な最大音量値
を示す。
【００４２】
例えば、ＡＶアンプ１００の最大音量値（ＡＶＭａｘ）が１００であり、表示装置２００（ＴＶ１）の最大音量値（ＴＶ１Ｍａｘ）が５０であった場合、ＡＶアンプ１００の音量値２０に対応するＴＶ１の音量値は、５０×（２０／１００）＝１０となる。なお、ＡＶアンプ１００の音量値に対応する表示装置２００の音量値は上記方法によって決定されることに限定されず、実際にＡＶアンプ１００に接続されるスピーカー１８から出力される音声と、表示装置２００のスピーカー２５から出力される音声とをマイクで集音して音量等を測定し、表示装置２００の音量値を決定してもよい。
【００４３】
図５は、実施形態３のフローチャートを示す。本実施形態によると、ＡＶアンプ１００の制御部１１は、表示装置２００にミュートを解除する指示を送信する前に、表示装置２００に音量を変更する指示を送信する。図２と同一の処理には同一符号を付し、説明を省略する。
【００４４】
ＡＶアンプ１００の制御部１１は、ＡＡＣサラウンドフォーマットの音声信号を受信したことを検出し（Ｓ１０３）、ＡＶアンプ１００に設定されている音量値を取得する（Ｓ３０１）。ＡＶアンプ１００は、図４の音量テーブルを参照し、Ｓ３０１の処理によって取得されたＡＶアンプ１００の音量値に対応する表示装置２００の音量値を取得する（Ｓ３０２）。例えば、ＡＶアンプ１００の音量値が２０であり、表示装置２００がＴＶ１であったとき、音量値１０が取得される。なお、ＡＶアンプ１００の制御部１１は表示装置２００から表示装置２００の情報を含むＩＤであるＥＤＩＤを取得し、ＥＤＩＤに含まれるＰｒｏｄｕｃｔＩＤ等を参照し、ＡＶアンプ１００に接続されている表示装置２００を特定する。ＥＤＩＤはＨＤＭＩケーブルを介して取得される。なお、制御部１１は、ＣＥＣコマンドなどを使用し、ＥＤＩＤ取得以外の方法によって表示装置２００を特定してもよい。
【００４５】
制御部１１は、表示装置２００にＳ３０２の処理によって取得された音量値に設定するよう指示する（Ｓ３０３）。この結果、表示装置２００は音量値を１０に設定する。制御部１１は、ミュートを解除するよう指示し（Ｓ１０４）、表示装置２００は設定された音量値でスピーカー２５から音声を出力する（Ｓ１０５）。
【００４６】
本実施形態によると、ＡＶアンプ１００のスピーカー１８から出力される音声の音量と、表示装置２００のスピーカー２５からの音声の音量との差を小さくできるので、ユーザは音量差による違和感を感じづらくなる。
【００４７】
[実施形態４]
図６は第４の実施形態におけるシーケンスチャートを示す。図２と同一の処理には同一符号を付し、説明を省略する。本実施形態によると、表示装置２００の制御部２１は、放送受信部２７が受信する音声信号のフォーマットが変更されたとき、フォーマットの変更に応じて表示装置２００のミュートを設定及び解除する。なお、本実施形態において、表示装置２００の音声処理部２９は制御部２１の指示によって放送受信部２７が受信する音声信号の音声フォーマットを解析する。
【００４８】
表示装置２００の制御部２１は、ＡＡＣサラウンドフォーマットの音声信号を受信開始する（Ｓ１０１）。制御部２１は、音声処理部２９によってＡＡＣサラウンドフォーマットの音声信号を受信したことを検出し（Ｓ４０１）、ミュートを解除し（Ｓ４０２）、スピーカー２５から音声を出力する（Ｓ１０５）。
【００４９】
ＡＶアンプ１００の制御部１１は、音声処理部１３によって音声受信部１７から入力される音声フォーマットを解析し（Ｓ１０２）、Ｓ１０３からＳ１０８の処理を実行する。表示装置２００の制御部２１は、スピーカー２５から音声を出力してから、数秒間ウエイトする（Ｓ４０３）。なお、数秒とは３秒程度であるが、これに限定されず、ＡＶアンプ１００の制御部１１がＳ１０３〜Ｓ１０８の処理をし終えることが可能な時間であればよい。
【００５０】
表示装置２００の制御部２１は、数秒間ウエイトした後、ミュートを実行し（Ｓ４０４）、スピーカー２５からの音声出力を停止する（Ｓ１１１）。なお、非本編に用いられる音声フォーマットを受信したとき（Ｓ１１２）も同様に、表示装置２００の制御部２１はミュート解除し、数秒経過してからミュートしてもよい。
【００５１】
本実施形態によると、表示装置２００の制御部２１は、ＡＶアンプ１００から通知されるミュート指示を受信する必要なくミュート解除状態に変更するので、放送受信部２７が受信する音声フォーマットがＡＡＣサラウンドフォーマットに切り替わってから表示装置２００がミュート解除状態に移行するまでの時間を短縮できる。
【００５２】
以上、本発明の好ましい実施形態について説明したが、本発明はこれらの実施形態には限定されない。ＡＶアンプ１００は、ＤＶＤプレーヤやＢＤプレーヤ、またはＨＤＤプレーヤ等の再生装置から送信される音声信号について、本発明の処理を実行してもよい。表示装置２００がミュート状態へ移行するとき、表示装置２００のスピーカー２５から出力される音量を次第に小さくしてもよい。表示装置２００がミュート解除状態へ移行するとき、表示装置２００のスピーカー２５から出力される音量を次第に大きくしてもよい。
【産業上の利用可能性】
【００５３】
本発明は、ＡＶアンプ、ＴＶ、ＤＶＤプレーヤ、ＢＤプレーヤ、ＨＤＤレコーダ等の機器に好適に採用され得る。
【符号の説明】
【００５４】
１００          ＡＶアンプ
１１            制御部
１２            記憶部
１３            音声処理部
１４            ＤＡＣ
１５            増幅部
１６            通信部
１７            音声受信部
１８            スピーカー
２００          表示装置
２１            制御部
２２            記憶部
２３            ＤＡＣ
２４            増幅部
２５            通信部
２６            表示部
２７            放送受信部
２８            音声送信部
２９            音声処理部
【図１】
2013179505.tif 000003
【図２】
2013179505.tif 000004
【図３】
2013179505.tif 000005
【図４】
2013179505.tif 000006
【図５】
2013179505.tif 000007
【図６】
2013179505.tif 000008